(57)【特許請求の範囲】
【請求項１】
上枠、戸先側竪枠及び戸尻側竪枠を有する枠部材と、
該枠部材の前記両竪枠間に往復移動可能に配設された引戸部材と、
前記枠部材の前記戸先側竪枠内に該戸先側竪枠の長さ方向に延在する状態で配設された板部、及び、該板部から戸尻方向に延在する柱部を有する台座と、
該台座を前記枠部材の前記戸先側竪枠に固定し、且つ、前記台座の前記柱部を摺動可能な状態で受け入れる貫通孔を有する支持部材と、
該支持部材と前記台座の前記板部を連結し、且つ、破断可能な連結部材と、
前記枠部材の前記戸先側竪枠内に配設され、且つ、前記台座の前記柱部の戸尻側端部に固定されたストライクと、
前記引戸部材の戸先側に設けられ、且つ、施錠時に、前記ストライクに係合可能な鎌状部材を有する鎌錠と、を有し、
前記枠部材が層間変形したことに伴って移動した前記引戸部材によって前記台座が戸先方向へ押圧され、且つ、前記連結部材が破断したときに、前記ストライクは戸先方向へ移動可能となることを特徴とする対震ストライク付引戸。
【請求項２】
前記連結部材は、リベットであることを特徴とする請求項１記載の対震ストライク付引戸。
【請求項３】
前記ストライクと前記鎌錠は、少なくとも一対設けられていることを特徴とする請求項１又は２に記載の対震ストライク付引戸。
【発明の詳細な説明】
【技術分野】
【０００１】
本発明は、建物の出入口に設置され、例えば、地震等の影響により引戸の枠部材が層間変形した状態であっても、解錠可能な対震ストライク付引戸に関する。
【背景技術】
【０００２】
引戸としては、例えば、図１に示す構成を有するものが知られている。
図１は、一つの錠前が設けられた、いわゆる１ロックタイプの引戸の構成例を示す正面図である。
引戸１は、枠部材２と引戸部材３とから概略構成されている。枠部材２は、無目と称される上枠４、戸先側竪枠５、戸尻側竪枠６、上枠４の中央部分に配設された竪額縁７、及び、戸袋８を備えている。この戸袋８は、竪額縁７と戸尻側竪枠６との間に設けられ、且つ、引戸部材３を収容する。引戸部材３は、枠部材２の戸先側竪枠５と戸尻側竪枠６との間に、枠部材２の上枠４の下部又は建物の出入口の床上に配設されたレール（図示せず）に沿って往復移動可能に配設されている。引戸部材３の戸先側には、把手９、及び、その下に一つの錠前１０が設けられている。
【０００３】
図１に示した引戸に配設された引戸用錠前の構成（施錠時）を図２に示す。
図２に示すように、引戸用錠前１０は、枠部材２の戸先側竪枠５内に配設されたストライク１１と、引戸部材３の戸先側に配設された鎌錠１２を有している。ストライク１１は、錠受けとなる略半円筒部１１ａと、この略半円筒部１１ａの直径よりも長い矩形状の板部１１ｂと、この板部１１ｂの両端に形成された貫通孔１１ｃと、板部１１ｂのうち、略半円筒部１１ａの一方の半径部分に相当する位置に形成された矩形の開口部１１ｄと、板部１１ｂのうち、略半円筒部１１ａの他方の半径部分に相当する内側面１１ｅを有している。鎌錠１２は、ストライク１１の開口部１１ｄから略半円筒部１１ａ内に旋回しながら挿入される鎌状部材１３と、この鎌状部材１３を旋回させるサムターン１４を備えている。
このような引戸用錠前１０では、鎌錠１２の鎌状部材１３がストライク１１の開口部１１ｄ内に旋回しながら挿入され、且つ、その鎌状部材１３の先端部分１３ａがストライク１１の内側面１１ｅに当接し、係合することによって施錠され、引戸部材３の面内方向への移動が規制されるように構成されている。尚、面内とは、枠部材２により規定される面の内側をいい、以下において、単に、戸尻方向あるいは戸先方向というときは、いずれも、面内の方向を指すものとする。
【０００４】
一般に、住宅等の建築物の場合、例えば、地震等の影響による脱落や崩壊を防止するために既定された層間変形角は１／２００ｒａｄとされるが、上述した引戸に既定された層間変形角は１／１２０ｒａｄ以下まで緩和されている。層間変形角をｒとし、層間変位をδとし、高さをｈとした場合における検討式は、ｒ＝δ／ｈで示される。
【０００５】
ここで、地震等の影響により、図１に示した引戸が戸先方向へ層間変形した状態（層間変形角：１／１２０ｒａｄ）を図３に示し、この図３に示される層間変形した状態における引戸用錠前の構成を図４に示す。尚、図３中の二点鎖線は、１／１２０ｒａｄの層間変形角の変化を示し、図４中の破線Ｖは、層間変形により傾斜した枠部材２の戸先側竪枠５の戸尻側端面を示す。
図３に示すように、引戸１の枠部材２が戸先方向へ層間変形した状態において、その枠部材２の戸先側竪枠５に施錠された引戸部材３は、層間変形しないものの、枠部材２の層間変形時に戸先方向へ移動する引戸部材３によって戸先側竪枠５が戸先方向に押圧される。
施錠時では、ストライク１１の内側面１１ｅに鎌錠１２の鎌状部材１３の先端部分１３ａが係合しているため、ストライク１１の位置が、層間変形時に枠部材２に加わる荷重の支点となる。この場合、支点の下側における、枠部材２の戸先側竪枠５の戸尻側端面と引戸部材３の戸先側端面との距離（引出し距離）は、枠部材２の層間変形前よりも長くなる。
【０００６】
次に、一つの錠前が設けられた、いわゆる２ロックタイプの引戸の構成例を図５に示し、図５に示した引戸が戸先方向へ層間変形した状態（層間変形角：１／１２０ｒａｄ）を図６に示す。
２ロックタイプでは、図５に示すように、引戸部材３の把手９の上下に、上部錠前１０ａ及び下部錠前１０ｂが設けられている。この場合、上部錠前１０ａ及び下部錠前１０ｂのいずれかのストライク１１の位置が、層間変形時に枠部材２に加わる荷重の支点となる。図６に示した構成例では、下部錠前１０ｂのストライク１１の位置を支点としている。この場合、下部錠前１０ｂの下側における、枠部材２の戸先側竪枠５の戸尻側端面と引戸部材３の戸先側端面との距離（引出し距離）は、図３に示した１ロックタイプの場合よりも長くなる。
【先行技術文献】
【特許文献】
【０００７】
【特許文献１】特開２００４−３６０３５０号公報
【発明の概要】
【発明が解決しようとする課題】
【０００８】
１ロックタイプの引戸１では、枠部材２が層間変形した場合、引戸部材３が枠部材２の戸先側竪枠５を押圧する際に、上記係合状態が維持されたまま、鎌状部材１３がストライク１１の内側面１１ｅを戸先方向へ押圧する結果、鎌状部材１３の先端部分１３ａの、ストライク１１の内側面１１ｅに対する側圧が増加する。２ロックタイプの引戸１では、１ロックタイプよりも引出し距離が長いため、さらに側圧が増加する。このように側圧が増加した状態では、ストライク１１と鎌錠１２が強固に干渉するため、簡単には解錠できない。解錠できない場合、引戸部材３を開けることができないため、例えば、ユーザーが閉じ込められ、退避行動が制限される可能性がある。
また、側圧が増加した状態で、ユーザーがサムターン１４を操作して、無理に解錠しようとすると、場合によっては、サムターン１４やその周辺部品の破損を招く可能性もある。この場合には、さらに、引戸の開閉が困難になり、退避行動が制限される。
【０００９】
本発明は、上述した事情に鑑みてなされたもので、例えば、地震等の影響により層間変形した状態であっても、サムターンやその周辺部品の破損を招くことなく、容易な解錠を期待することができ、迅速な退避行動が期待でき、ユーザーの閉じ込め等の不測の事態の回避が期待できる対震ストライク付引戸を提供することを目的とする。
【課題を解決するための手段】
【００１０】
上記課題を解決するために、本発明に係る対震ストライク付引戸は、上枠、戸先側竪枠及び戸尻側竪枠を有する枠部材と、該枠部材の前記両竪枠間に往復移動可能に配設された引戸部材と、前記枠部材の前記戸先側竪枠内に該戸先側竪枠の長さ方向に延在する状態で配設された板部、及び、該板部から戸尻方向に延在する柱部を有する台座と、該台座を前記枠部材の前記戸先側竪枠に固定し、且つ、前記台座の前記柱部を摺動可能な状態で受け入れる貫通孔を有する支持部材と、該支持部材と前記台座の前記板部を連結し、且つ、破断可能な連結部材と、前記枠部材の前記戸先側竪枠内に配設され、且つ、前記台座の前記柱部の戸尻側端部に固定されたストライクと、前記引戸部材の戸先側に設けられ、且つ、施錠時に、前記ストライクに係合可能な鎌状部材を有する鎌錠と、を有し、前記枠部材が層間変形したことに伴って移動した前記引戸部材によって前記台座が戸先方向へ押圧され、且つ、前記連結部材が破断したときに、前記ストライクは戸先方向へ移動可能となることを特徴とする。
【００１１】
本発明に係る対震ストライク付引戸は、前記連結部材が、リベットであることを特徴とする。
【００１２】
本発明に係る対震ストライク付引戸は、前記ストライクと前記鎌錠が、少なくとも一対設けられていることを特徴とする。
【発明の効果】
【００１３】
本発明に係る対震ストライク付引戸は、上枠、戸先側竪枠及び戸尻側竪枠を有する枠部材と、該枠部材の両竪枠間に往復移動可能に配設された引戸部材と、枠部材の戸先側竪枠内に該戸先側竪枠の長さ方向に延在する状態で配設された板部、及び、該板部から戸尻方向に延在する柱部を有する台座と、該台座を枠部材の戸先側竪枠に固定し、且つ、台座の柱部を摺動可能な状態で受け入れる貫通孔を有する支持部材と、該支持部材と台座の板部を連結し、且つ、破断可能な連結部材と、枠部材の戸先側竪枠内に配設され、且つ、台座の柱部の戸尻側端部に固定されたストライクと、引戸部材の戸先側に設けられ、且つ、施錠時に、ストライクに係合可能な鎌状部材を有する鎌錠と、を有している。このため、枠部材が層間変形したことに伴って移動した引戸部材によって台座が戸先方向へ押圧され、且つ、連結部材が破断したときに、ストライクは戸先方向へ移動可能となる。枠部材の層間変形時に、引戸部材の移動に追従してストライクが戸先方向へ移動できるので、引戸部材が枠部材の戸先側竪枠を押圧する際に、上記係合状態が維持されたまま、鎌状部材がストライクを戸先方向へ押圧しても、鎌状部材の先端部分の、ストライクの内側面に対する側圧の増加を緩和することできる。これにより、ストライクと鎌錠との干渉を避け、容易な解錠を期待することができ、引戸部材を開くことができるので、迅速な退避行動が期待でき、ユーザーの閉じ込め等の不測の事態の回避が期待できる。
また、側圧の増加を緩和できるので、平時におけるユーザーによる操作によって、解錠できることから、無理な解錠操作を避けることができるため、ユーザーの操作によるサムターンやその周辺部品の破損を防止できる。
【図面の簡単な説明】
【００１４】
【図１】１ロックタイプの引戸の構成を示す正面図である。
【図２】施錠時における引戸用錠前の構成を示す部分断面図である。
【図３】図１に示した引戸が戸先方向へ層間変形した状態を示す正面図である。
【図４】図３に示した層間変形した状態における引戸用錠前の構成を示す部分断面図である。
【図５】２ロックタイプの引戸の構成を示す正面図である。
【図６】図５に示した引戸が戸先方向へ層間変形した状態を示す正面図である。
【図７】（ａ）及び（ｂ）は、本発明の実施の形態による対震ストライク付引戸における引戸用錠前の構成を示す図であり、（ａ）は正面図であり、（ｂ）は（ａ）に示した引戸用錠前の構成を部分的に断面視して示す底面図である。
【図８】（ａ）及び（ｂ）は、図７に示した引戸用錠前を構成する台座の構成を示す図であり、（ａ）は正面図であり、（ｂ）は（ａ）の台座の構成を部分的に断面視して示す側面図である。
【図９】図７に示した引戸用錠前を構成する支持部材の構成を示す断面図である。
【図１０】（ａ）及び（ｂ）は、図７に示した対震ストライク付引戸が戸尻方向へ層間変形した状態における引戸用錠前の構成を示す図であり、（ａ）は正面図であり、（ｂ）は（ａ）に示した引戸用錠前の構成を部分的に断面視して示す底面図である。
【発明を実施するための形態】
【００１５】
実施の形態
本発明の実施の形態による対震ストライク付引戸について、図７〜図１０を参照して説明する。但し、その説明においては、図１〜図６と同一構成要素には同一符号を付して重複説明を省略する。
この実施の形態による対震ストライク付引戸１５は、施錠時において、枠部材２が戸先方向へ層間変形した状態で、ストライク１１が戸先方向へ移動可能となるように、枠部材２の戸先側竪枠５内に配設されるための配設構造を有する点に特徴がある。この配設構造は、台座１６、支持部材１７、及び、リベット（連結部材）１８を有している（図７参照）。
以下、配設構造の各部品について説明する。
【００１６】
台座１６は、例えば、図７及び図８に示すように、ストライク１１の略半円筒部１１ａの直径より長い寸法を有する矩形状の板部１６ａと、この板部１６ａの両端近傍の一側面から直角方向に延在する一対の柱部１６ｂと、これら柱部１６ｂの基部近傍の、板部１６ａにそれぞれ形成され、且つ、リベット１８を挿通するための複数の連結孔１６ｃを有している。図８に示す連結孔１６ｃは、一つの柱部１６ｂ基部近傍につき、二箇所に形成されている。各柱部１６ｂの先端部分（配設時における戸尻側端部）には、台座１６とストライク１１の板部１１ｂとを固定するためのネジ１９を螺合するためのネジ孔１６ｄが形成されている。
この台座１６は、図７に示すように、その板部１６ａが枠部材２の戸先側竪枠５内の凹部５ａに戸先側竪枠５の長さ方向に延在した状態で、且つ、板部１６ａが戸先側竪枠５の内部空間を戸先側の領域と戸尻側の領域に隔てるように配設されるため、柱部１６ｂは戸尻方向に延在する。柱部１６ｂは、後述する支持部材１７の貫通孔１７ｃ内を戸先方向へ摺動可能である。柱部１６ｂの長さは、ストライク１１の戸先方向への最大移動距離に相当する。尚、凹部５ａは、台座１６及び支持部材１７を収容するための戸先側竪枠５の内部空間であり、支持部材１７の戸先側部分及びリベット１８が凹部５ａの底面から戸先方向へ突出されるように配設される。
【００１７】
支持部材１７は、図９に示すように、矩形状の板部材の二箇所をそれぞれ反対方向に向けて直角に屈曲して形成されてなる断面クランク状の部材であり、台座１６の板部１６ａと枠部材２の戸先側竪枠５の凹部５ａを固定するためのネジ２０を螺合するためのネジ孔１７ａが形成された固定用板部１７ｂと、台座１６の柱部１６ｂを摺動可能な状態で受け入れる貫通孔１７ｃが形成され、且つ、リベット１８を受け入れる連結用貫通孔（図示せず）が形成された摺動用板部１７ｄと、この摺動用板部１７ｄと固定用板部１７ｂを互いに平行となるように連絡する連絡用板部１７ｅを有する。貫通孔１７ｃの内径は、台座１６の柱部１６ｂの摺動を可能にするため、柱部１６ｂの外径よりも大きく設定されている。摺動用板部１７ｄの連結用貫通孔（図示せず）の内径及び数は、使用されるリベット１８のサイズ、設置本数に応じて決められる。
【００１８】
リベット１８は、断面半円形状の頭部と、この頭部より小径の胴部を有し、台座１６の板部１６ａと支持部材１７の摺動用板部１７ｄを接合するための接合用部品である。リベット１８の胴部を、支持部材１７の連結用貫通孔（図示せず）内に差し込み、支持部材１７の摺動用板部１７ｄの反対側面から突出させた状態で、その突出端を加締めて塑性変形させることで、支持部材１７と、枠部材２の戸先側竪枠５に固定された台座１６の板部１６ａを連結することができる。
リベット１８の破断強度は、平時における防犯性能を維持するため、不用意に、引戸部材３によって枠部材２の戸先側竪枠５が押圧されても、破断せずに、台座１６が移動しない程度の下限値と、地震等の影響により枠部材２が戸先方向へ層間変形した状態（層間変形角：１／１２０ｒａｄ）で、引戸部材３によって枠部材２の戸先側竪枠５が押圧された際に、確実に破断して台座１６が戸先方向へ押圧されて移動する程度の上限値との範囲内で、適宜設定されることが望ましい。
リベット１８の設置位置は、上述したように、層間変形時に受ける戸先方向への荷重を受け易い位置とされ、当該荷重が印加される台座１６の柱部１６ｂ基部近傍であることが望ましい。また、リベット１８の材質、サイズ、設置本数は、上述した範囲の破断強度を得るために必要な範囲で決められ、当該３条件は、各条件を相互に勘案して適宜決められる。
【００１９】
尚、図７及び図１０に示す化粧板２１は、ストライク１１の戸尻側を覆うための長い矩形状をなす部材であり、ストライク１１の貫通孔１１ｃに対応する貫通孔（図示せず）及びストライク１１の開口部１１ｄに対応する開口部（図示せず）を有する。また、化粧板２１の戸尻側面上には、例えば、弾性材料からなる略半球状の戸当たり部２１ａが設けられている。また、化粧板２４の両端は、それぞれ戸先側に屈曲している。
【００２０】
次に、ストライク１１の配設構造を構成する各部品の組付けについて、図８及び図９を参照して説明する。
先ず、図８（ｂ）に示した台座１６の各柱部１６ｂを、図９に示した支持部材１７の貫通孔１７ｃに挿通し、二つの支持部材の固定用板部１７ｂを台座１６の板部１６ａの両端側に向けた状態で、各摺動用板部１７ｄを台座１６の板部１６ａの戸尻側面に接触させる。この状態で、リベット１８の胴部を台座１６の板部１６ａの連結孔１６ｃ及び支持部材１７の連結用貫通孔（図示せず）に挿通して突出させ、その突出端を加締めて塑性変形させることによって、台座１６と二つの支持部材１７を連結する。
その後、図７（ａ）に示すように、支持部材１７の固定用板部１７ｂを枠部材２の戸先側竪枠５の凹部５ａに接触させた状態で、ネジ２０により固定する。
その後、図７（ａ）に示すように、ネジ１９を化粧板２１の貫通孔（図示せず）及びストライク１１の貫通孔１１ｃに挿通し、そのネジ１９を支持部材１７のネジ孔１７ａに螺合する。これによって、リベット１８が破断したときに、台座１６が支持部材１７から離間し、台座１６の柱部１６ｂが支持部材１７の貫通孔１７ｃ内を戸先方向へ摺動するため、ストライク１１は、戸先方向へ移動可能となるように、枠部材２の戸先側竪枠５内に配設される。
【００２１】
次に、枠部材２が戸先方向へ層間変形した状態（層間変形角：１／１２０ｒａｄ）におけるストライク１１の動作について、図７及び図１０を参照して説明する。
図７に示すように、平時において、ストライク１１は、上述したように、枠部材２の戸先側竪枠５に固定された支持部材１７に対してリベット１８を介して連結された台座１６の柱部１６ｂに固定されている。この状態では、リベット１８の破断強度を超える荷重をリベット１８に印加しない限り、ストライク１１は戸先方向へ移動しない。このため、施錠時における、鎌錠１２の鎌状部材１３の先端部分１３ａの、ストライク１１の内側面１１ｅに対する側圧は、所定範囲内にあるため、ユーザーは、サムターン１４を時計回りに旋回させることによって、ストライク１１と鎌錠１２との干渉を解消でき、容易に解錠できる。
一方、図１０に示すように、例えば、地震等の影響により枠部材２が戸先方向へ層間変形したことに伴って戸先方向へ移動した引戸部材３によって台座１６が戸先方向へ押圧され、且つ、リベット１８が破断したときに、台座１６が支持部材１７から離間し、台座１６の柱部１６ｂが支持部材１７の貫通孔１７ｃ内を戸先方向へ摺動するため、ストライク１１は、戸先方向へ移動可能となる。図１０では、設置時に上部となる２本のリベット１８のみが破断し、ストライク１１の上部のみが戸先方向へ移動している。このようにストライク１１が戸先方向へ移動するため、施錠時における、鎌錠１２の鎌状部材１３の先端部分１３ａの、ストライク１１の内側面１１ｅに対する側圧の増加が緩和されるので、この場合においても、平時の施錠時と同様に、ストライク１１と鎌錠１２との干渉を避けることができ、容易な解錠を期待することができる。
【００２２】
図７〜図１０に示した配設構造は、前述の図１及び図３に示した１ロックタイプの引戸や図５及び図６に示した２ロックタイプの引戸に用いられるストライク１１のいずれにも適用可能であり、ロック数に制限はなく、ストライク１１と鎌錠１２を少なくとも一対設けた引戸におけるストライク１１に適用可能である。
上述したように、枠部材２の戸先方向への層間変形後における引出し距離（枠部材２の戸先側竪枠５の戸尻側端面と引戸部材３の戸先側端面との距離）は、１ロックタイプでは、層間変形前よりも長くなり、２ロックタイプでは、１ロックタイプよりも長くなる。このため、従来の引戸１では、いずれの場合においても、施錠時における、鎌錠１２の鎌状部材１３の先端部分１３ａの、ストライク１１の内側面１１ｅに対する側圧の増加によって、ストライク１１と鎌錠１２が強固に干渉するため、容易には解錠できない可能性があった。
これに対し、この実施の形態による対震ストライク付引戸１５は、ストライク１１を戸先方向へ移動可能とする配設構造を有しているので、上述の引出し距離に見合った、戸先方向への移動距離をストライク１１に許容することで、上述の側圧の増加を緩和でき、ストライク１１と鎌錠１２との干渉を避けることができ、容易な解錠を期待することができる。
【００２３】
この実施の形態によれば、対震ストライク付引戸１５がストライク１１の配設構造として、上述したように構成した台座１６、支持部材１７、及び、リベット１８を備えているので、例えば、地震等の影響により枠部材２が戸先方向へ層間変形したことに伴って戸先方向へ移動した引戸部材３によって台座１６が戸先方向へ押圧され、且つ、リベット１８が破断したときに、ストライク１１は、戸先方向へ移動可能となる。このため、枠部材２の戸先方向への層間変形時に、鎌錠１２の鎌状部材１３の先端部分１３ａの、ストライク１１の内側面１１ｅに対する側圧の増加を緩和することできる。これにより、ストライク１１と鎌錠１２との干渉を解消でき、容易に解錠でき、容易に引戸部材３を開けることができるので、迅速な退避行動が期待でき、ユーザーの閉じ込め等の不測の事態の回避が期待できる。
また、側圧の増加を緩和できるので、平時におけるユーザーによる操作によって、解錠できることから、無理な解錠操作を避けることができるため、ユーザーの操作によるサムターン１４やその周辺部品の破損を防止できる。
さらに、ストライク１１は、その戸先方向への移動時においても、枠部材２の戸先側竪枠５に対して戸先方向へ移動する台座１６に固定されたままであるので、鎌錠１２との係合状態を維持したまま、ストライク１１が脱落し、その開口部１１ｄが落下することがない。このため、ストライク１１の開口部１１ｄと鎌錠１２の鎌状部材１３との上下方向の位置関係を維持することができるので、サムターン１４の旋回操作によって解消が困難な、位置変動したストライク１１と鎌錠１２との干渉を生じることを防止できる。
【００２４】
尚、この実施の形態では、枠部材が戸先方向に層間変形した場合について説明したが、本発明の対震ストライク付引戸１５は、枠部材が戸尻方向に層間変形した場合にも有用である。
また、この実施の形態では、連結部材としてリベット１８を用いて説明したが、台座１６の板部１６ａと支持部材１７の摺動用板部１７ｄを連結する部材であって、地震等の影響により枠部材２が戸先方向へ層間変形したことに伴って戸先方向へ移動した引戸部材３によって台座１６が戸先方向へ押圧されたときに、破断可能なものであれば、その連結部材は上述したようなリベット１８に限定されるものではない。
さらに、設置時に上部となるリベット１８及び下部となるリベット１８の設置本数をそれぞれ２本としたが、設置本数に制限はない。例えば、上部及び下部において、それぞれ１本ずつであってもよく、それぞれ３本以上であってもよい。さらに、リベット１８の設置本数を上部及び下部で同数としたが、上部及び下部の設置本数を異ならせてもよい。
【００２５】
この実施の形態では、従来品としてのストライク１１及び鎌錠１２をそのまま用い、そのストライク１１に対して、戸先方向への層間変形に対応できる対震性能を付与することができる。このため、枠部材２の戸先側竪枠５に凹部５ａを新たに設けるなどの多少の加工が必要な場合もあるが、ほぼ、既設の引戸１に対して、図７乃至図９に示した各部品を付加する施工作業によって、その既設の引戸１を上述した対震ストライク付引戸１５へと、簡単にグレードアップすることが可能である。
【符号の説明】
【００２６】
１  引戸，  ２  枠部材，  ３  引戸部材，
４  上枠，  ５  戸先側竪枠，  ５ａ  凹部，  ６  戸尻側竪枠，
７  竪額縁，  ８  戸袋，  ９  把手，
１０  引戸用錠前，  １０ａ  上部錠前，  １０ｂ  下部錠前，
１１  ストライク，  １１ａ  略半円筒部，  １１ｂ  板部，
１１ｃ  貫通孔，  １１ｄ  開口部，  １１ｅ  内側面，
１２  鎌錠，  １３  鎌状部材，  １４  サムターン，
１５  対震ストライク付引戸，
１６  台座，  １６ａ  板部，  １６ｂ  柱部，
１６ｃ  連結孔，  １６ｄ  ネジ孔，
１７  支持部材，  １７ａ  ネジ孔，  １７ｂ  固定用板部，
１７ｃ  貫通孔，  １７ｄ  摺動用板部，  １７ｅ  連絡用板部，
１８  リベット（連結部材），  １９，２０  ネジ，
２１  化粧板，  ２１ａ  戸当たり部。
【図１】
0006356001.tif 000002
【図２】
0006356001.tif 000003
【図３】
0006356001.tif 000004
【図４】
0006356001.tif 000005
【図５】
0006356001.tif 000006
【図６】
0006356001.tif 000007
【図７】
0006356001.tif 000008
【図８】
0006356001.tif 000009
【図９】
0006356001.tif 000010
【図１０】
0006356001.tif 000011